(57)【要約】【課題】無線通信機の使用者が音声を送信しようとする状態を適切に判断して無線通信機を送信状態に切り替えることができる無線通信機を提供する。【解決手段】送信制御部１３は、距離判定部１２からの距離判定信号が第１の距離以下であることを示すとき、送信音声処理部１４による送信音声信号を生成する動作を開始させる。送信制御部１３は、距離判定信号が第１の距離よりも短い第２の距離以下であることを示すとき、録音部１６による音声信号の更新録音及び読み出しの動作を開始させる。送信制御部１３は、距離判定信号が第２の距離よりも短い第３の距離以下であることを示すとき、音圧判定部１１による音声信号の音圧を判定する処理を開始させる。送信制御部１３は、音圧判定信号が所定の閾値以上の音圧であることを示すとき、送信音声信号を電波として送信するよう送信回路１５に送信制御信号を供給する。【選択図】図１
2018148404.tif 000002
【特許請求の範囲】
【請求項１】
マイクロホンからの音声信号の音圧を判定して音圧判定信号を生成する音圧判定部と、
距離センサが生成した無線通信機から無線通信機の使用者までの距離に応じた検出値に基づいて前記無線通信機から前記使用者までの距離を判定して、距離判定信号を生成する距離判定部と、
前記マイクロホンからの音声信号を所定時間だけ更新録音する録音部と、
前記録音部から読み出された音声信号に続けて前記マイクロホンからの音声信号を音声処理して送信音声信号を生成する送信音声処理部と、
前記送信音声信号を電波として送信する送信回路と、
前記音圧判定信号と前記距離判定信号とを監視する送信制御部と、
を備え、
前記送信制御部は、
前記距離判定信号が第１の距離以下であることを示すとき、前記送信音声処理部の動作を開始させ、
前記距離判定信号が第１の距離よりも短い第２の距離以下であることを示すとき、前記録音部による音声信号の更新録音及び読み出しの動作を開始させ、
前記距離判定信号が第２の距離よりも短い第３の距離以下であることを示すとき、前記音圧判定部によって、前記マイクロホンからの音声信号の音圧を判定する動作を開始させ、
前記音圧判定信号が所定の閾値以上の音圧であることを示すとき、前記送信音声処理部によって生成された、前記録音部から読み出された音声信号及び前記マイクロホンからの音声信号を含む送信音声信号を電波として送信するよう前記送信回路に送信制御信号を供給する
ことを特徴とする無線通信機。
【請求項２】
前記送信制御部は、
前記距離判定信号が前記第１の距離を超えることを示すとき、前記送信音声処理部を不動作とし、
前記距離判定信号が前記第１の距離以下であることを示すとき、不動作となっている前記送信音声処理部を動作させる
ことを特徴とする請求項１に記載の無線通信機。
【請求項３】
前記送信制御部は、
前記距離判定信号が前記第２の距離を超えることを示すとき、前記録音部を不動作とし、
前記距離判定信号が前記第２の距離以下であることを示すとき、不動作となっている前記録音部を動作させる
ことを特徴とする請求項２に記載の無線通信機。
【請求項４】
前記送信制御部は、
前記距離判定信号が前記第３の距離を超えることを示すとき、前記音圧判定部を不動作とし、
前記距離判定信号が前記第３の距離以下であることを示すとき、不動作となっている前記音圧判定部を動作させる
ことを特徴とする請求項３に記載の無線通信機。
【請求項５】
前記音圧判定部は、
音声信号が所定の閾値以上の音圧であれば有音を示す音圧判定信号を生成し、前記所定の閾値未満の音圧であれば無音を示す音圧判定信号を生成し、
音声信号の音圧が前記所定の閾値以上に達した後に前記所定の閾値未満となった場合には、所定の時間有音を示す音圧判定信号を維持する
ことを特徴とする請求項１〜４のいずれか１項に記載の無線通信機。
【発明の詳細な説明】
【技術分野】
【０００１】
本発明は、無線通信機に関する。
【背景技術】
【０００２】
特許文献１には、無線通信機の近傍に無線通信機の使用者が存在することを人感センサによって検出して、無線通信機を送信状態に切り替えるように構成した無線通信機が記載されている。人感センサは、人体から発せられる熱を感知することによって使用者の存在を検出する。
【先行技術文献】
【特許文献】
【０００３】
【特許文献１】特開２０１０−２２６２７４号公報
【発明の概要】
【発明が解決しようとする課題】
【０００４】
特許文献１に記載の無線通信機においては、人感センサによって無線通信機の近傍に無線通信機の使用者が存在することを検出しただけで無線通信機が送信状態に切り替えられてしまう。無線通信機の使用者が音声を送信しようとしていないにもかかわらず送信状態に切り替えられることが起こり得る。
【０００５】
本発明は、無線通信機の使用者が音声を送信しようとする状態を適切に判断して無線通信機を送信状態に切り替えることができる無線通信機を提供することを目的とする。
【課題を解決するための手段】
【０００６】
本発明は、マイクロホンからの音声信号の音圧を判定して音圧判定信号を生成する音圧判定部と、距離センサが生成した無線通信機から無線通信機の使用者までの距離に応じた検出値に基づいて前記無線通信機から前記使用者までの距離を判定して、距離判定信号を生成する距離判定部と、前記マイクロホンからの音声信号を所定時間だけ更新録音する録音部と、前記録音部から読み出された音声信号に続けて前記マイクロホンからの音声信号を音声処理して送信音声信号を生成する送信音声処理部と、前記送信音声信号を電波として送信する送信回路と、前記音圧判定信号と前記距離判定信号とを監視する送信制御部とを備え、前記送信制御部は、前記距離判定信号が第１の距離以下であることを示すとき、前記送信音声処理部の動作を開始させ、前記距離判定信号が第１の距離よりも短い第２の距離以下であることを示すとき、前記録音部による音声信号の更新録音及び読み出しの動作を開始させ、前記距離判定信号が第２の距離よりも短い第３の距離以下であることを示すとき、前記音圧判定部によって、前記マイクロホンからの音声信号の音圧を判定する動作を開始させ、前記音圧判定信号が所定の閾値以上の音圧であることを示すとき、前記送信音声処理部によって生成された、前記録音部から読み出された音声信号及び前記マイクロホンからの音声信号を含む送信音声信号を電波として送信するよう前記送信回路に送信制御信号を供給することを特徴とする無線通信機を提供する。
【発明の効果】
【０００７】
本発明の無線通信機によれば、無線通信機の使用者が音声を送信しようとする状態を適切に判断して無線通信機を送信状態に切り替えることができる。
【図面の簡単な説明】
【０００８】
【図１】一実施形態の無線通信機を示すブロック図である。
【図２Ａ】使用者がスピーカマイクロホンを使用しようとしてスピーカマイクロホンを自分自身に近付けた状態を示す図である。
【図２Ｂ】使用者がスピーカマイクロホンを図２Ａよりもさらに自分自身に近付けた状態を示す図である。
【図２Ｃ】使用者が音声を発するために、スピーカマイクロホンを図２Ｂよりもさらに自分自身に近付けた状態を示す図である。
【図３Ａ】一実施形態の無線通信機の動作を示す全体的な状態遷移図である。
【図３Ｂ】一実施形態の無線通信機の動作を示す部分的な状態遷移図である。
【図３Ｃ】一実施形態の無線通信機の動作を示す図３Ｂに続く部分的な状態遷移図である。
【図３Ｄ】一実施形態の無線通信機の動作を示す図３Ｃに続く部分的な状態遷移図である。
【図４】送信制御部が送信回路を動作させる条件を論理的に示す概念図である。
【発明を実施するための形態】
【０００９】
以下、一実施形態の無線通信機について、添付図面を参照して説明する。図１において、一実施形態の無線通信機は、本体部１０と、本体部１０に接続されたスピーカマイクロホン２０とを備える。スピーカマイクロホン２０の機能が本体部１０に内蔵されていてもよい。無線通信機は、半二重通信方式で音声データを送信または受信する。
【００１０】
図２Ａに示すように、無線通信機の使用者３０は、本体部１０を体のいずれかの位置に装着し、音声データを送信しようとするときにスピーカマイクロホン２０を手で把持する。スピーカマイクロホン２０の機能が本体部１０に内蔵されている場合には、使用者３０は、本体部１０を手で把持する。
【００１１】
図１において、スピーカマイクロホン２０は、ＰＴＴ（Push To Talk）スイッチ２１と、マイクロホン２２と、距離センサ２３とを備える。スピーカマイクロホン２０は、本体部１０が受信した音声データに基づく音声を発音させる図示していないスピーカを備える。本体部１０は、音圧判定部１１と、距離判定部１２と、送信制御部１３と、送信音声処理部１４と、送信回路１５と、録音部１６を備える。本体部１０は図示しない受信回路も備えるが、図１では送信のみについて図示する。
【００１２】
使用者３０が音声データを送信するためにＰＴＴスイッチ２１を押下すると、ＰＴＴスイッチ２１は、送信回路１５を動作させるためのＰＴＴ信号を送信制御部１３に供給する。使用者３０が音声を発すると、マイクロホン２２は音声を収音してアナログ音声信号を音圧判定部１１と送信音声処理部１４と録音部１６とに供給する。
【００１３】
距離センサ２３は、例えば、赤外線よりなる送信波を所定の対象物に発射し、送信波と対象物で反射した反射波との位相差に基づいて生成した検出値を、距離判定部１２に供給する。距離センサ２３の検出値は、距離センサ２３から対象物までの距離に応じた値となる。ここでは、対象物は使用者３０である。
【００１４】
音圧判定部１１は、マイクロホン２２が音声を収音したときに無線通信機を送信状態に切り替える、いわゆるＶＯＸ（Voice-operated Transmit）機能を実現するために設けられている。ＶＯＸ機能を備える無線通信機はハンズフリー通話が可能である。音圧判定部１１は、入力されるアナログ音声信号の音圧を判定して、音圧判定信号を生成する。
【００１５】
音圧判定部１１は、所定の閾値以上の音圧であれば「有音」を示す信号を生成し、所定の閾値未満の音圧であれば「無音」を示す音圧判定信号を生成する。また、会話時の音声は連続音ではないため、音圧が所定の閾値以上に達し、その後、音圧が所定の閾値未満となった場合には、音圧判定部１１は、所定の時間有音を示す音圧判定信号を維持する。音圧判定部１１は、音圧判定信号を送信制御部１３に供給する。
【００１６】
距離判定部１２は、入力された検出値に基づいて使用者３０までの距離を判定して、距離判定信号を生成する。距離判定部１２は、距離判定信号を送信制御部１３に供給する。送信制御部１３は、入力される距離判定信号に基づいて、距離センサ２３（スピーカマイクロホン２０）から使用者３０までの距離Ｄが図２Ａに示す距離Ｄ１以下であるか、図２Ｂに示す距離Ｄ２以下であるか、図２Ｃに示す距離Ｄ３以下であるかを判断することができる。
【００１７】
図２Ａに示す距離Ｄ１は、使用者３０はスピーカマイクロホン２０を使用しようとしてスピーカマイクロホン２０を自分自身に近付けた状態の距離である。図２Ｂに示す距離Ｄ２は、スピーカマイクロホン２０を図２Ａよりも自分自身に近付けた状態の距離である。図２Ｃに示す距離Ｄ３は、音声を発するために、スピーカマイクロホン２０を図２Ｂよりもさらに自分自身に近付けた状態の距離である。
【００１８】
録音部１６は、Ａ／Ｄ変換器と、例えばＲＡＭであるメモリとを含む。録音部１６は、入力されたアナログ音声信号をＡ／Ｄ変換したデジタル音声信号を所定時間録音する。録音部１６は、ＦＩＦＯ（First-In First-Out）で録音するデジタル音声信号を上書き更新する。録音部１６は、デジタル音声信号を１秒程度録音できればよい。
【００１９】
後述するように、音圧判定部１１及び録音部１６は常時動作しているわけではなく、後述する条件を満たしたときに動作するように構成されている。
【００２０】
送信制御部１３は、音圧判定部１１と、送信音声処理部１４と、送信回路１５と、録音部１６とを制御する。送信制御部１３は、マイクロコンピュータの中央処理装置（ＣＰＵ）で構成することができる。送信制御部１３及び送信音声処理部１４がマイクロコンピュータで構成されていてもよいし、ＤＳＰ（Digital Signal Processor）で構成されていてもよい。
【００２１】
送信制御部１３は、音圧判定部１１の動作と不動作とを切り替えるための音圧判定制御信号を音圧判定部１１に供給する。送信制御部１３は、録音部１６の動作と不動作とを切り替えるための録音制御信号を録音部１６に供給する。
【００２２】
送信音声処理部１４には、マイクロホン２２からのアナログ音声信号が入力される。録音部１６が動作しているとき、送信音声処理部１４には、マイクロホン２２からのアナログ音声信号と、録音部１６から読み出されたデジタル音声信号が入力される。送信音声処理部１４は、アナログ音声信号を増幅するアンプ、アナログ音声信号をデジタル音声信号に変換するＡ／Ｄ変換器、デジタル音声信号をフィルタリングするフィルタ、フィルタリングされたデジタル音声信号を符号化するヴォコーダ等を有する。
【００２３】
送信音声処理部１４は、音声信号を送信回路１５によって送信するために音声処理して送信音声信号を生成する。送信音声処理部１４は、まず録音部１６から読み出されたデジタル音声信号を音声処理し、続けて、マイクロホン２２からのアナログ音声信号を音声処理して、送信音声信号を生成する。
【００２４】
録音部１６は、後述する送信状態とされた場合に再生を開始する。録音部１６は、録音されるデジタル音声信号のデータより再生されるデジタル音声信号のデータを多くすることにより、読み出されたデジタル音声信号の話速を早めたり、無音部分を短縮したりといった既存の技術を用いて録音しながら再生を行うことで、録音されている時間を減少させていく。送信音声処理部１４は、録音信号が無くなり読み出すデータが無くなった場合、マイクロホン２２からのアナログ信号に切り替える。つまり、送信音声処理部１４は、録音部１６から読み出されたデジタル音声信号を音声処理し、続けて、マイクロホン２２からのアナログ音声信号の音声処理を行う。
【００２５】
送信音声処理部１４も常時動作しているわけではなく、後述する条件を満たしたときに動作するように構成されている。送信制御部１３は、送信音声処理部１４の動作と不動作とを切り替えるための音声処理制御信号を送信音声処理部１４に供給する。送信音声処理部１４が動作しているとき、送信音声処理部１４は送信音声信号を送信回路１５に供給する。
【００２６】
送信回路１５は、所定の発振周波数で発振するためのＰＬＬ（Phase Locked Loop）回路及びパワーアンプ等を有する。送信回路１５は、送信制御部１３から送信制御信号が供給されると、入力された送信音声信号をＰＬＬ回路が発振する発振周波数で変調して電波として送信する。
【００２７】
次に、図３Ａ〜図３Ｄに示す状態遷移図を用いて、送信制御部１３が各部をどのように制御するかを説明する。図３Ａは、本実施形態の無線通信機の動作の全体を示している。図３Ａの状態２０１〜２０３，２０９〜２１１，２１８の詳細を図３Ｂに示す。図３Ａの状態２０４，２０５，２１２，２１６，２１７の詳細を図３Ｃに示す。図３Ａの状態２０６〜２０８，２１３〜２１５の詳細を図３Ｄに示す。
【００２８】
図３Ｂにおいて、送信制御部１３は、受信及び送信していない待ち受け状態である状態２０１において、距離判定信号の値を監視するよう距離判定信号の割り込みを待つ。状態２０１において、スピーカマイクロホン２０の位置は図２Ａに示す距離Ｄ１の位置よりも離れているとする。
【００２９】
使用者３０がスピーカマイクロホン２０を自分自身に近付けて距離Ｄが距離Ｄ１以下となって、送信制御部１３に距離Ｄが距離Ｄ１以下とったことを示す距離判定信号が割り込まれると、送信制御部１３は状態２０２に遷移させる。送信制御部１３は、状態２０２において、不動作となっている送信音声処理部１４を動作させて送信音声処理部１４を有効化して、状態２０３に遷移させる。
【００３０】
送信制御部１３は、状態２０３において、さらに距離判定信号の割り込みを待つ。使用者３０がスピーカマイクロホン２０をさらに近付けて距離Ｄが距離Ｄ２以下となって、送信制御部１３に距離Ｄが距離Ｄ２以下となったことを示す距離判定信号が割り込まれると、送信制御部１３は図３Ｃに示す状態２０４に遷移させる。
【００３１】
送信制御部１３は、状態２０４において、不動作となっている録音部１６を動作させて録音部１６を有効化して、状態２０５に遷移させる。録音部１６を有効化することによって、録音部１６はデジタル音声信号の更新録音及び読み出しを開始する。
【００３２】
送信制御部１３は、状態２０５において、さらに距離判定信号の割り込みを待つ。使用者３０がスピーカマイクロホン２０をさらに近付けて距離Ｄが距離Ｄ３以下となって、送信制御部１３に距離Ｄが距離Ｄ３以下となったことを示す距離判定信号が割り込まれると、送信制御部１３は図３Ｄに示す状態２０６に遷移させる。
【００３３】
送信制御部１３は、状態２０６において、不動作となっている音圧判定部１１を動作させて音圧判定部１１を有効化して、状態２０７に遷移させる。送信制御部１３は、状態２０７において、音圧判定信号の値を監視するよう音圧判定信号の入力を待つ。
【００３４】
送信制御部１３に音圧が閾値以上となったことを示す音圧判定信号が入力されると、送信制御部１３は、状態２０８において、送信回路１５に送信制御信号を供給して送信回路１５を動作させて、送信制御部１３からの送信制御信号を送信する。
【００３５】
図３Ｂに戻り、状態２０１において、使用者３０がスピーカマイクロホン２０を急速に自分自身に近付けると、距離Ｄが瞬時に距離Ｄ２以下となることがある。状態２０１において、送信制御部１３に距離Ｄが距離Ｄ２以下とったことを示す距離判定信号が割り込まれると、送信制御部１３は状態２０９に遷移させる。送信制御部１３は、状態２０９において、不動作となっている送信音声処理部１４を動作させて送信音声処理部１４を有効化して、状態２０４に遷移させる。
【００３６】
また、状態２０１において、使用者３０がスピーカマイクロホン２０を急速に自分自身に近付けると、距離Ｄが瞬時に距離Ｄ３以下となることもある。状態２０１において、送信制御部１３に距離Ｄが距離Ｄ３以下とったことを示す距離判定信号が割り込まれると、送信制御部１３は状態２１０に遷移させる。送信制御部１３は、状態２１０において、不動作となっている送信音声処理部１４を動作させて送信音声処理部１４を有効化して、図３Ｃに示す状態２１２に遷移させる。
【００３７】
送信制御部１３は、状態２１２において、不動作となっている音圧判定部１１を動作させて音圧判定部１１を有効化して、図３Ｄに示す状態２０６に遷移させる。
【００３８】
図３Ｂに示す状態２０１において、使用者３０がＰＴＴスイッチ２１を押下すると、送信制御部１３は、ＰＴＴ信号の入力に応答して、状態２１１において、送信音声処理部１４を有効化し、図３Ｃに示す状態２１９において録音部１６を有効化する。さらに、送信制御部１３は、図３Ｄに示す状態２２０において音圧判定部１１を有効化して、状態２０８に遷移させる。送信制御部１３は、状態２０８において、送信回路１５に送信制御信号を供給して送信回路１５を動作させて、送信制御部１３からの送信制御信号を送信する。
【００３９】
図３Ｂに示す状態２０３において、使用者３０がＰＴＴスイッチ２１を押下した場合には、送信制御部１３は、ＰＴＴ信号の入力に応答して、図３Ｃに示す状態２２１において録音部１６を有効化し、図３Ｄに示す状態２２２において音圧判定部１１を有効化して、状態２０８に遷移させる。送信制御部１３は、状態２０８において、送信回路１５を動作させて送信制御部１３からの送信制御信号を送信する。
【００４０】
図３Ｃに示す状態２０５において、使用者３０がＰＴＴスイッチ２１を押下した場合には、送信制御部１３は、ＰＴＴ信号の入力に応答して、図３Ｄに示す状態２２３において音圧判定部１１を有効化して、状態２０８に遷移させる。送信制御部１３は、状態２０８において、送信回路１５を動作させて送信制御部１３からの送信制御信号を送信する。
【００４１】
図３Ｄに示す状態２０７において、使用者３０がＰＴＴスイッチ２１を押下した場合にも、送信制御部１３は、状態２０８に遷移させ、送信回路１５を動作させて送信制御部１３からの送信制御信号を送信する。
【００４２】
状態２０８において、音圧判定信号が無音を示す場合、かつ、ＰＴＴスイッチ２１が押下の状態ではない場合、送信制御部１３は状態２０７に遷移させる。
【００４３】
図３Ｄに示す状態２０７において、音圧が閾値以上となる前に、または、ＰＴＴスイッチ２１が押下される前に、距離Ｄが距離Ｄ３を超え、距離Ｄ２未満となれば、送信制御部１３は、状態２１３に遷移させて送信音声処理部１４を無効化し、図３Ｃに示す状態２０５に遷移させる。
【００４４】
また、状態２０７において、音圧が閾値以上となる前に、または、ＰＴＴスイッチ２１が押下される前に、距離Ｄが距離Ｄ２を超え、距離Ｄ１未満となれば、送信制御部１３は、状態２１４に遷移させて送信音声処理部１４を無効化する。さらに、送信制御部１３は、図３Ｃに示す状態２１６に遷移させて録音部１６を無効化して、状態２０３に遷移させる。
【００４５】
さらに、状態２０７において、音圧が閾値以上となる前に、または、ＰＴＴスイッチ２１が押下される前に、距離Ｄが距離Ｄ１を超えれば、送信制御部１３は、状態２１５に遷移させて送信音声処理部１４を無効化し、図３Ｃに示す状態２１７に遷移させて録音部１６を無効化する。さらに、送信制御部１３は、図３Ｂに示す状態２１８に遷移させて送信音声処理部１４を無効化して、状態２０１に遷移させる。
【００４６】
図３Ｃに示す状態２０５において、距離Ｄが距離Ｄ３以下となる前に、距離Ｄが距離Ｄ２を超え、距離Ｄ１未満となれば、送信制御部１３は、状態２１６に遷移させて録音部１６を無効化して、図３Ｂに示す状態２０３に遷移させる。また、距離Ｄが距離Ｄ３以下となる前に、距離Ｄが距離Ｄ１を超えれば、送信制御部１３は、状態２１７に遷移させて録音部１６を無効化して、図３Ｂに示す状態２１８に遷移させる。
【００４７】
図３Ｂに示す状態２０３において、距離Ｄが距離Ｄ２以下となる前に、距離Ｄが距離Ｄ１を超えれば、送信制御部１３は、状態２１８に遷移させて送信音声処理部１４を無効化して、状態２０１に遷移させる。
【００４８】
図４は、送信制御部１３が送信回路１５に送信制御信号を供給して、送信回路１５を動作させる条件を論理的な概念図で示している。ＡＮＤ回路３０１には、音圧判定信号と距離判定信号とが入力される。音圧判定信号及び距離判定信号により、音圧判定信号が有音を示し、かつ、距離Ｄが距離Ｄ３以下の条件で、ＯＲ回路３０２にハイの出力信号が入力される。
【００４９】
ＯＲ回路３０２には、ＰＴＴ信号とＡＮＤ回路３０１の出力信号とが入力される。ＯＲ回路３０２にＰＴＴ信号が入力されるか、ハイの出力信号が入力されことにより、ＯＲ回路３０２は送信回路１５に送信制御信号を供給する。
【００５０】
以上のように、本実施形態の無線通信機は、距離判定信号が第１の距離以下であることを示すとき、送信制御部１３が、送信音声処理部１４によって、マイクロホン２２からの音声信号を音声処理して送信音声信号を生成する動作を開始させる。
【００５１】
本実施形態の無線通信機は、距離判定信号が第１の距離よりも短い第２の距離以下であることを示すとき、録音部１６による音声信号の更新録音及び読み出しの動作を開始させる。録音部１６が動作を開始すれば、送信音声処理部１４は、録音部１６から読み出されたデジタル音声信号及びマイクロホン２２からのアナログ音声信号を音声処理して送信音声信号を生成する。
【００５２】
本実施形態の無線通信機は、距離判定信号が第２の距離よりも短い第３の距離以下であることを示すとき、送信制御部１３が、音圧判定部１１によって、マイクロホン２２からの音声信号の音圧を判定する処理を開始させる。
【００５３】
本実施形態の無線通信機は、送信音声信号を生成する動作と、音声信号の更新録音及び読み出しの動作と、音声信号の音圧を判定する動作を開始させた後に、音圧判定信号が有音であることを示すとき、送信制御部１３が、送信音声信号を電波として送信するよう送信回路１５に送信制御信号を供給する。
【００５４】
よって、本実施形態の無線通信機によれば、無線通信機の使用者が音声を送信しようとする状態を適切に判断して無線通信機を送信状態に切り替えることができる。
【００５５】
本実施形態の無線通信機によれば、距離判定信号が第１の距離以下であることを示すとき、送信音声処理部１４による送信音声信号を生成する処理を開始しているので、送信する音声の先頭が切れる、いわゆる頭切れを減少させることができる。
【００５６】
これに加えて、本実施形態の無線通信機は録音部１６を備え、距離判定信号が第２の距離以下であることを示すとき、音圧判定信号が所定の閾値以上の音圧であることを示す前に音声信号を録音する。送信回路１５は、録音部１６に録音された所定の閾値に達する以前の音声に続けて、マイクロホン２２からの音声を送信する。従って、本実施形態の無線通信機によれば、頭切れをほとんどなくすことができる。
【００５７】
送信制御部１３は、距離判定信号が前記第１の距離を超えることを示すとき、送信音声処理部１４を不動作とし、距離判定信号が第１の距離以下であることを示すとき、不動作となっている送信音声処理部１４を動作させることが好ましい。このようにすれば、送信音声処理部１４は必要なとき以外は不動作であるので、消費電力を低減させることができる。
【００５８】
送信制御部１３は、距離判定信号が第２の距離を超えることを示すとき、録音部１６を不動作とし、距離判定信号が第２の距離以下であることを示すとき、不動作となっている録音部１６を動作させることが好ましい。このようにすれば、録音部１６は必要なとき以外は不動作であるので、消費電力を低減させることができる。
【００５９】
送信制御部１３は、離判定信号が第３の距離を超えることを示すとき、音圧判定部１１を不動作し、距離判定信号が第３の距離以下であることを示すとき、不動作となっている音圧判定部１１を動作させることが好ましい。このようにすれば、音圧判定部１１は必要なとき以外は不動作であるので、消費電力を低減させることができる。
【００６０】
本発明は以上説明した本実施形態に限定されるものではなく、本発明の要旨を逸脱しない範囲において種々変更可能である。
【符号の説明】
【００６１】
１０  本体部
１１  音圧判定部
１２  距離判定部
１３  送信制御部
１４  送信音声処理部
１５  送信回路
１６  録音部
２０  スピーカマイクロホン
２１  ＰＴＴスイッチ
２２  マイクロホン
２３  距離センサ
【図１】
2018148404.tif 000003
【図２Ａ】
2018148404.tif 000004
【図２Ｂ】
2018148404.tif 000005
【図２Ｃ】
2018148404.tif 000006
【図３Ａ】
2018148404.tif 000007
【図３Ｂ】
2018148404.tif 000008
【図３Ｃ】
2018148404.tif 000009
【図３Ｄ】
2018148404.tif 000010
【図４】
2018148404.tif 000011